(57)【要約】      （修正有）【課題】日傘の傘地やカーテンなどに使用する断熱性布帛を提供する。【解決手段】断熱性布帛１０は、下地布１２と、調和構造３０と、表面層２２とを備えている。調和構造３０は下地布１２上に設けられており、表面層２２は調和構造３０上に設けられている。調和構造３０は最下層１４と、第１のコーティング層１６と、第２のコーティング層１８とを備えており、最下層１４は下地布１２と第１のコーティング層１６との間に介在している。下地布１２、調和構造３０および表面層２２は、ケイ酸塩、ヘキサフルオロアルミン酸ナトリウム、発泡剤およびその混合物から選ばれる断熱性材料を含む。【選択図】図１
0003172925.tif 000002
【実用新案登録請求の範囲】
【請求項１】
下地布と、
前記下地布上に設けられ、最下層と、第１のコーティング層と、第２のコーティング層とを有しており、該最下層は前記下地布と該第１のコーティング層との間に介在している、調和構造と、
前記第２のコーティング層上に設けられている表面層と、
を備えており、
前記下地布、前記調和構造または表面層が、ケイ酸塩、ヘキサフルオロアルミン酸ナトリウム、発泡剤およびその混合物から選ばれる断熱性材料を含むことを特徴とする断熱性布帛。
【請求項２】
前記下地布、前記調和構造および前記表面層がいずれも前記断熱性材料を含むことを特徴とする請求項１に記載の断熱性布帛。
【請求項３】
前記下地布がケイ酸塩、ヘキサフルオロアルミン酸ナトリウムおよび発泡剤を含むことを特徴とする請求項１に記載の断熱性布帛。
【請求項４】
前記表面層がケイ酸塩、ヘキサフルオロアルミン酸ナトリウムおよび発泡剤を含むことを特徴とする請求項１に記載の断熱性布帛。
【請求項５】
前記最下層がケイ酸塩、ヘキサフルオロアルミン酸ナトリウムおよび発泡剤を含むことを特徴とする請求項１に記載の断熱性布帛。
【請求項６】
前記第１のコーティング層がケイ酸塩、ヘキサフルオロアルミン酸ナトリウム、アルミペースト、酸化チタンおよび発泡剤を含むことを特徴とする請求項１に記載の断熱性布帛。
【請求項７】
前記第２のコーティング層がケイ酸塩、ヘキサフルオロアルミン酸ナトリウム、酸化チタン、カーボンブラックおよび発泡剤を含むことを特徴とする請求項１に記載の断熱性布帛。
【請求項８】
前記最下層が接着剤、酸化チタンおよび色素を含むことを特徴とする請求項１に記載の断熱性布帛。
【請求項９】
前記接着剤がアクリル酸系接着剤であることを特徴とする請求項８に記載の断熱性布帛。
【請求項１０】
前記第１のコーティング層が接着剤および酸化チタンを含むことを特徴とする請求項１に記載の断熱性布帛。
【請求項１１】
前記接着剤がウレタン系接着剤であることを特徴とする請求項１０に記載の断熱性布帛。
【請求項１２】
前記第２のコーティング層が接着剤および酸化チタンを含むことを特徴とする請求項１に記載の断熱性布帛。
【請求項１３】
前記接着剤がウレタン系接着剤であることを特徴とする請求項１２に記載の断熱性布帛。
【請求項１４】
前記表面層が接着剤、色素および光沢パウダーを含むことを特徴とする請求項１に記載の断熱性布帛。
【請求項１５】
前記接着剤がウレタン系接着剤であることを特徴とする請求項１４に記載の断熱性布帛。
【請求項１６】
前記下地布が木綿、合成繊維、木綿と合成繊維との混紡物またはポリエステルからなることを特徴とする請求項１に記載の断熱性布帛。
【請求項１７】
前記表面層と前記第２のコーティング層との間に介在している第３のコーティング層をさらに備えたことを特徴とする請求項１に記載の断熱性布帛。
【考案の詳細な説明】
【技術分野】
【０００１】
本考案は断熱性布帛に関する。
【背景技術】
【０００２】
断熱性布帛は、例えば日傘の傘地、カーテンおよび防火衣料などの幅広い用途を備えている。断熱性布帛は、夏場は熱気を遮断し、冬場は保温するのに用いることができるため、室内温度の調節を助け、節電効果をもたらすことができる。また、断熱性布帛は特に西日が差す部屋に適しており、窓辺を彩るとともに室内の雰囲気を変えて、カーテンで窓辺を装飾するのに用いて、日光を遮るばかりでなく、空間の色彩も多彩にすることができる。
【考案の概要】
【考案が解決しようとする課題】
【０００３】
本考案の目的は断熱性布帛を提供することにある。
【課題を解決するための手段】
【０００４】
本考案の断熱性布帛の実施例では、
下地布と、
前記下地布上に設けられ、最下層と、第１のコーティング層と、第２のコーティング層と、第３のコーティング層とを有しており、該最下層は前記下地布と該第１のコーティング層との間に介在している、調和構造と、
前記第３のコーティング層上に設けられている表面層と、を備えており、
前記下地布、前記調和構造または表面層は、アルミペースト、酸化チタン、カーボンブラック、ケイ酸塩、ヘキサフルオロアルミン酸ナトリウム、発泡剤およびその混合物から選ばれる断熱性材料を含む。
【０００５】
上記では本考案の技術的特徴をかなり広汎に概略的に説明したが、下記の本考案の詳細な説明によりより一層の理解が得られるはずである。本考案の登録請求の目的を構成するその他技術的特徴は下記に記述する。本考案の技術分野の当業者であれば、下記に開示する技術的思想および特定の実施例を簡単に利用することで、その他構成または製造工程に変更または設計することで、本考案と同じ目的を達成できる。本考案の当業者であれば、これら等価の構造は添付する実用新案登録請求の範囲にて限定する本考案の技術的思想および範囲を逸脱することはできないということは理解するはずである。
【図面の簡単な説明】
【０００６】
下記説明および図面を参照することにより、本考案の技術的特徴は完全に理解できる。
【図１】本考案の断熱性布帛の実施例を例示した断面図
【考案を実施するための形態】
【０００７】
図１には本考案の断熱性布帛１０の実施例を示す。本考案の実施例において、前記断熱性布帛１０は、下地布１２と、最下層１４と、第１のコーティング層１６と、第２のコーティング層１８と、第３のコーティング層２０と、表面層２２とを備えており、前記最下層１４、前記第１のコーティング層１６および前記第２のコーティング層１８とで調和構造３０を構成しているが、本考案はこれに限定されない。
【０００８】
本考案の実施例において、前記下地布１２は木綿、合成繊維、木綿と合成繊維との混紡物、ポリエステルまたはナイロンからなり、しかも前記下地布１２は、顧客が指定することができる第１の所定色に着色されているが、本考案はこれに限定されない。本考案の実施例において、前記下地布１２はケイ酸塩、ヘキサフルオロアルミン酸ナトリウムおよび発泡剤を含む。
【０００９】
本考案の実施例において、前記最下層１４は前記下地布１２と前記第１のコーティング層１６との間に介在しており、接着剤、アルミペースト、酸化チタンおよび色素を含んでおり、前記色素の色は前記第１の所定色と略同色であり、前記接着剤はアクリル酸系接着剤とすることができるが、本考案はこれに限定されない。本考案の実施例において、前記最下層１４はケイ酸塩、ヘキサフルオロアルミン酸ナトリウムおよび発泡剤を含む。
【００１０】
本考案の実施例において、前記第１のコーティング層１６は前記最下層１４上に設けられており、接着剤、酸化チタン、カーボンブラックおよび色素を含んでおり、前記接着剤はウレタン系接着剤とすることができ、前記色素は黒とは限らない深めの色の色素（例えば紺色、深緑、こげ茶色など）であるので、前記第１のコーティング層１６の色は全くの黒ではないが、本考案はこれに限定されない。本考案の実施例において、前記第１のコーティング層１６はケイ酸塩、ヘキサフルオロアルミン酸ナトリウムおよび発泡剤を含む。
【００１１】
本考案の実施例において、前記第２のコーティング層１８は前記第１のコーティング層１６上に設けられており、前記第２のコーティング層１８は接着剤、酸化チタン、カーボンブラックおよび色素を含んでおり、前記接着剤はウレタン系接着剤とすることができるが、本考案はこれに限定されない。本考案の実施例において、前記第２のコーティング層１８はケイ酸塩、ヘキサフルオロアルミン酸ナトリウム、カーボンブラックおよび発泡剤を含む。
【００１２】
本考案の実施例において、前記第３のコーティング層２０は第２のコーティング層１８上に設けられており、前記第３のコーティング層２０は接着剤、酸化チタン、カーボンブラックおよび色素を含んでおり、前記接着剤はウレタン系接着剤とすることができるが、本考案はこれに限定されない。本考案の実施例において、前記第３のコーティング層２０はケイ酸塩、ヘキサフルオロアルミン酸ナトリウム、カーボンブラックおよび発泡剤を含む。
【００１３】
本考案の実施例において、前記表面層２２は前記第３のコーティング層２０上に設けられており、前記表面層２２は接着剤、酸化チタン、色素および光沢パウダーを含んでおり、前記接着剤はウレタン系接着剤とすることができ、前記表面層２２は顧客が指定する第２の所定色を有しているが、本考案はこれに限定されない。本考案の実施例において、前記表面層２２はケイ酸塩、ヘキサフルオロアルミン酸ナトリウムおよび発泡剤を含む。
【００１４】
本考案の技術内容および技術的長所は上記に開示したとおりであるが、本考案の技術分野の当業者であれば、添付する特許請求の範囲で限定する本考案の技術的思想および範囲を離れることなく、本考案の教示および開示で様々な置換および付加を行うことがきることは理解するはずである。例えば、上記開示の数々の製造工程は異なる方法で実施するか、またはその他の工程に置換するか、または上記二種類の方式を組み合わせることもできる。
【００１５】
また、本願の権利範囲は上記開示した特定の実施例の製造工程、設備、製造、物質の成分、装置、方法または手順に限定されるものではない。本考案の技術分野の当業者であれば、本考案で教示および開示する製造工程、設備、製造、物質の成分、装置、方法または手順に基づき、現時点で存在するもの、または後日開発されるものに関わらず、それが本願の実施例に開示するものと実質的に同一の方式で実質的に同一の効果が実現され、そして実質的に同一の結果が達成されるものも、本考案に使用できるものである。したがって、別紙の実用新案登録請求の範囲はこの類の製造工程、設備、製造、物質の成分、装置、方法または手順を含むよう用いられる。
【符号の説明】
【００１６】
１０  断熱性布帛
１２  下地布
１４  最下層
１６  第１のコーティング層
１８  第２のコーティング層
２０  第３のコーティング層
２２  表面層
３０  調和構造
【図１】
0003172925.tif 000003